(57)【要約】      （修正有）【課題】反射板を具えた嵌込式ＬＥＤランプを提供する。【解決手段】反射板を具えた嵌込式ＬＥＤランプは、ヒートシンク１０と、該ヒートシンクに固定されたＬＥＤ発光モジュール２０と、固定端２９と開口端３１と筒壁４１を具えて該ＬＥＤ発光モジュールを内側に収容して該固定端で該ヒートシンクに固定される筒体３０と、該筒体の筒壁に設置されて該ＬＥＤ発光モジュールの光線を反射する反射板７０と、該筒体の該開口端に設けられて該筒体の該開口端を封じる透光板４０とを包含する。【選択図】図１
0003158325.tif 000002
【実用新案登録請求の範囲】
【請求項１】
ヒートシンクと、該ヒートシンクに固定されたＬＥＤ発光モジュールと、固定端と開口端と筒壁を具えて該ＬＥＤ発光モジュールを内側に収容して該固定端で該ヒートシンクに固定される筒体と、該筒体の筒壁に設置されて該ＬＥＤ発光モジュールの光線を反射する反射板と、該筒体の該開口端に設けられて該筒体の該開口端を封じる透光板と、を包含することを特徴とする反射板を具えた嵌込式ＬＥＤランプ。
【請求項２】
請求項１記載の反射板を具えた嵌込式ＬＥＤランプにおいて、中央に貫通孔を具えて該筒体の開口端部分に固定されて、該貫通孔より該透光板を露出させる装飾板をさらに具えたことを特徴とする反射板を具えた嵌込式ＬＥＤランプ。
【請求項３】
請求項１記載の反射板を具えた嵌込式ＬＥＤランプにおいて、該筒体にフランジが設けられ、該フランジに内凹溝が形成され、該透光板が該内凹溝内に設置されたことを特徴とする反射板を具えた嵌込式ＬＥＤランプ。
【請求項４】
請求項１記載の反射板を具えた嵌込式ＬＥＤランプにおいて、該筒体に二つの互いに対応する固定柱が設けられ、該固定柱が該ヒートシンクへの固定に用いられることを特徴とする反射板を具えた嵌込式ＬＥＤランプ。
【請求項５】
請求項２記載の反射板を具えた嵌込式ＬＥＤランプにおいて、該装飾板の貫通孔の周囲に内側板が延伸され、該内側板が該透光板を押さえるのに用いられることを特徴とする反射板を具えた嵌込式ＬＥＤランプ。
【請求項６】
請求項５記載の反射板を具えた嵌込式ＬＥＤランプにおいて、該装飾板に外側板が延伸形成されて、該外側板の上端が内向きに延伸されて少なくとも一つの嵌合板が形成され、該筒体のフランジの該嵌合板に対応する部分に該嵌合板に対応する嵌合部が形成され、該嵌合板が該嵌合部中に嵌合されて、該装飾板が該筒体に固定されることを特徴とする反射板を具えた嵌込式ＬＥＤランプ。
【考案の詳細な説明】
【技術分野】
【０００１】
本考案は一種の反射板を具えた嵌込式ＬＥＤランプに係り、特に光線を反射して照明輝度をアップする嵌込式ＬＥＤランプに関する。
【背景技術】
【０００２】
日常生活において、照明設備は不可欠の生活用品であり、人々の生活方式を変えてきた。現在、一般家庭或いは公共の屋内場所において、各種の照明設備、例えば、蛍光灯、照明灯、テーブルランプ、ペンダントライト、ネオンランプ等が使用されており、暗さのもたらす不便を照明設備により改善している。
【０００３】
異なる照明設備に関しては、その応用の用途に差異があり、例えば、一般の蛍光灯、照明灯、テーブルランプ等は、一般照明として使用され、また、特殊な用途の照明設備例えばナイトランプは人々が睡眠時に照明を提供し、その発光効率は比較的低く、補助用途のみである。
【０００４】
伝統的な灯管或いは電球は温度上昇が速く消費電力が大きいという欠点を有し、且つ照明器具を廃棄後に環境保護の問題をもたらし、このため、近年、ＬＥＤを発光源とする技術が発展した。
【０００５】
ＬＥＤは消費電力が低く、寿命が長く、ランプのウォームアップ時間が必要なく反応速度が速いという長所を有するものの、一般にＬＥＤはその輝度が伝統的なバルブ或いは灯管よりも低く、このため照明光源としてはハイパワーのＬＥＤが採用される。ハイパワーのＬＥＤはより高い輝度を提供できるが、続けて使用すると温度上昇により発光の効率に影響が生じる。このため如何にＬＥＤ照明に良好な照明効果を具備させるかが、業界の技術開発の重要な課題となっている。
【考案の概要】
【考案が解決しようとする課題】
【０００６】
本考案の目的は、反射板を具えた嵌込式ＬＥＤランプを提供することにあり、それは光線反射の機能を具備することにより、照明輝度アップの目的を達成するものとする。
【課題を解決するための手段】
【０００７】
上述の効果及び目的を達成するため、本考案の技術特徴は、ヒートシンクと、該ヒートシンクに固定されたＬＥＤ発光モジュールと、固定端と開口端と筒壁を具えて該ＬＥＤ発光モジュールを内側に収容して該固定端で該ヒートシンクに固定される筒体と、該筒体の筒壁に設置されて該ＬＥＤ発光モジュールの光線を反射する反射板と、該筒体の該開口端に設けられて該筒体の該開口端を封じる透光板と、を包含することにある。
【考案の効果】
【０００８】
ゆえに、該ＬＥＤ発光モジュールの光線は、該筒体の筒壁に設置された反射板により反射されてから該透光板を通り射出され、これにより照明輝度がアップする。
本考案のその他の目的、長所及び特色は、以下の好ましい実施例により詳細に説明され並びに図面が参照されることでさらに深い理解が得られるようにする。
【図面の簡単な説明】
【０００９】
【図１】本考案の立体分解図である。
【図２】本考案の装飾板と透光板の立体分解図である。
【図３】図１の組み合わせ後の断面図である。
【考案を実施するための形態】
【００１０】
以下に図面と実施例を組み合わせて本考案の実施方式を詳細に説明し、これにより本考案がいかなる技術手段を応用して技術問題を解決し並びに技術効果を達成するかの実現過程について十分な理解が得られるようにし、並びにそれに基づいて実施できるようにする。
【００１１】
図１を参照されたい。これは本考案の反射板を具えた嵌込式ＬＥＤランプの立体分解図であり、それは、ヒートシンク１０、ＬＥＤ発光モジュール２０、筒体３０、反射板７０、透光板４０及び装飾板５０を包含する。
【００１２】
そのうち、ヒートシンク１０は一体プレス加工により形成され、表面１１とその中央部分から外向きに輻射状に形成された複数の放熱片１２を有し、且つヒートシンク１０に二つの第２固定孔１３が形成されている。
【００１３】
該ＬＥＤ発光モジュール２０は回路板２１と該回路板２１に設けられた複数のＬＥＤ２２を有し、該回路板２１は直接ヒートシンク１０の表面１１に固定される。
【００１４】
筒体３０は固定端２９、開口端３１及び筒壁４１を具え、固定端２９はヒートシンク１０に固定され、これによりＬＥＤ発光モジュール２０が筒体３０内に位置づけられ、開口端３１より外向きにフランジ３２が形成され、フランジ３２に内凹溝３３が形成され、且つ筒体３０の固定端２９の外側に上向きに延伸された二つの互いに対応する固定柱３４が設けられ、二つの固定柱３４にヒートシンク１０の第２固定孔１３と対応する第１固定孔３５が設けられ、固定部品６０が筒体３０の第１固定孔３５とヒートシンク１０の第２固定孔に通された後に、筒体３０がヒートシンク１０の表面１１に固定される。このほか、筒体３０のフランジ３２に別に嵌合部３６が形成され、嵌合部３６は凹溝３７を具え、凹溝３７の側辺にストッパ３８が形成され、筒体３０のフランジ３２と筒体３０の接続部分に別に少なくとも一つの補強リブ３９が形成され、筒体３０の強度を補強している。
【００１５】
反射板７０は筒体３０の筒壁４１に設置される。
【００１６】
透光板４０は筒体３０の開口端３１を覆い、筒体３０を閉じる。
【００１７】
図２も合わせて参照されたい。装飾板５０の中央に貫通孔５１が設けられ、それは筒体３０の開口端３１部分に設置されて、透光板４０を筒体３０のフランジ３２に挟持し、該装飾板５０の貫通孔５１は筒体３０の開口端３１に位置し、且つ貫通孔５１の周囲に上向きに延伸された内側板５２が形成されて、透光板４０を押さえるのに用いられる。装飾板５０の外側周縁は上向きに延伸されて外側板５３が形成され、外側板５３の上端が内向きに延伸されて筒体３０の嵌合部３６に対応する嵌合板５４が形成され、嵌合板５４が嵌合部３６の凹溝３７を通った後に装飾板５０がある角度回されることで、該嵌合板５４と嵌合部３６のストッパ３８が相互に係合し、該装飾板５０が該筒体３０に固定される。
【００１８】
本実施例中、固定部品６０はネジとされ、これにより固定部品６０は筒体３０外部より第１固定孔３５とヒートシンク１０の第２固定孔１３を通った後に、筒体３０を確実にヒートシンク１０に固定できる。
【００１９】
こうして、ＬＥＤ発光モジュール２０の光線は、反射板７０により反射された後、透光板４０を通り射出され、これにより良好な照明輝度が獲得される。
【００２０】
図３は本考案図１の組み合わせ後の断面図である。図示されるように、組立時には、まずＬＥＤ発光モジュール２０の回路板２１をヒートシンク１０に直接固定し、さらに固定部品６０を利用して筒体３０の固定柱３４をヒートシンク１０の外側辺に固定し、筒体３０の固定端をヒートシンク１０の表面１１に設置し、ＬＥＤ発光モジュール２０を筒体３０内に収容する。
【００２１】
その後、反射板７０を筒体３０の筒壁４１に設置し、さらに透光板４０を筒体３０の内凹溝３３に設置して筒体３０の開口端３１を閉じる。最後に、装飾板５０を筒体３０に設置し、装飾板５０の内側板５２で透光板４０を押さえ、透光板４０を筒体３０と装飾板５０の間に固定し、こうして、ＬＥＤ発光モジュール２０を筒体３０内部に配置し、ＬＥＤ発光モジュール２０のＬＥＤ２２の発射する光線が透光板４０を通り外に射出されるようにする。
【００２２】
本考案の開示する実施方式は上述のとおりであるが、記載された内容は直接本考案の権利請求範囲を限定するためのものではない。本考案の属する技術領域中における通常の知識を有する者であれば、本考案に記載の精神と範囲より離脱しない前提の下で実施の形式上及び細部上、幾ばくかの変更を行うことができる。本考案の権利請求範囲は実用新案登録請求の範囲による規定に準じる。
【符号の説明】
【００２３】
１０  ヒートシンク              ３７  凹溝
１１  表面                      ３８  ストッパ
１２  放熱片                    ３９  補強リブ
２０  ＬＥＤ発光モジュール      ４０  透光板
２１  回路板                    ４１  筒壁
２２  ＬＥＤ                    ５０  装飾板
２９  固定端                    ５１  貫通孔
３０  筒体                      ５２  内側板
３１  開口端                    ５３  外側板
３２  フランジ                  ５４  嵌合板
３３  内凹溝                    ５５  補強リブ
３４  固定柱                    ６０  固定部品
３５  第１固定孔                ７０  反射板
３６  嵌合部
【図１】
0003158325.tif 000003
【図２】
0003158325.tif 000004
【図３】
0003158325.tif 000005